(57)【特許請求の範囲】
【請求項１】
外壁の上端部の屋外側に沿って設けられ、前記外壁の上端部を屋外側から照らす照明装置を収容する照明収容部を備え、
前記照明収容部は、
前記外壁の上方から屋外側に延びる天面と、
前記天面から下方に延び、前記外壁の上端部と対向する対向面とを有し
前記照明収容部は、前記外壁の上端部に設けられた見切縁に設けられており、
前記見切縁は、
前記外壁の上方から屋外側に延びて下面が前記天面を構成する天板と、
前記天板から下方に延びて屋内側の面が前記対向面を構成する屋外側縦板と、
前記屋外側縦板から屋外側に延びて軒天井の屋内側の端部が載置された載置片と
を有している
ことを特徴とする外壁構造。
【請求項２】
前記対向面と前記外壁の上端部との間には、開口部が設けられた面部材が設けられており、
前記開口部は、前記照明装置から光が照射された状態で、該開口部を透過した光によって前記外壁の屋外側の面に所定形状の図形が投影されるように形成されている
ことを特徴とする請求項１に記載の外壁構造。
【請求項３】
前記外壁の屋外側の面を構成する外壁材の屋内側には、通気層が設けられ、
前記見切縁には、前記通気層と外気とを連通する通気路が設けられている
ことを特徴とする請求項１又は請求項２に記載の外壁構造。
【請求項４】
前記照明収容部は磁性を有する
ことを特徴とする請求項１〜３のいずれか一項に記載の外壁構造。
【請求項５】
請求項１〜４のいずれか一項に記載の前記照明収容部を備えることを特徴とする外壁照明用器具。
【発明の詳細な説明】
【技術分野】
【０００１】
本発明は、外壁構造及び外壁照明用器具に関し、特に外壁の照明演出に関する。
【背景技術】
【０００２】
特許文献１には、従来の外壁構造が開示されている。この外壁構造は、外壁の上端部の構造であり、当該外壁の上端部から軒天パネルが屋外側に延びている。
【先行技術文献】
【特許文献】
【０００３】
【特許文献１】特開２００１−８１９１３号公報
【発明の概要】
【発明が解決しようとする課題】
【０００４】
ところで、建物には、建物の見栄えや防犯等の理由で、エクステリア用の照明装置が設置される。しかし、単純に建物のエクステリアに照明装置を設置するのみであると、通行人等に直接光が当たってまぶしくさせたり、照明演出に欠けたりして、好ましい照明を行うことができない。
【０００５】
本発明は、上記事情に鑑みてなされたものであり、その目的とするところは、通行人等に直接光を照射するのを抑制できる上に、良好な照明演出を行うことができる外壁構造及び外壁照明用器具を提供することにある。
【課題を解決するための手段】
【０００６】
本発明の外壁構造は、外壁の上端部の屋外側に沿って設けられ、前記外壁の上端部を屋外側から照らす照明装置を収容する照明収容部を備えていることを特徴とする。
【０００７】
また、この外壁構造において、前記照明収容部は、前記外壁の上方から屋外側に延びる天面と、前記天面から下方に延び、前記外壁の上端部と対向する対向面とを有していることが好ましい。
【０００８】
また、この外壁構造において、前記対向面と前記外壁の上端部との間には、開口部が設けられた面部材が設けられており、前記開口部は、前記照明装置から光が照射された状態で、該開口部を透過した光によって前記外壁の屋外側の面に所定形状の図形が投影されるように形成されていることが好ましい。
【０００９】
また、この外壁構造において、前記照明収容部は、前記外壁の上端部に設けられた見切縁に設けられていることが好ましい。
【００１０】
また、この外壁構造において、前記見切縁は、前記外壁の上方から屋外側に延びて下面が前記天面を構成する天板と、前記天板から下方に延びて屋内側の面が前記対向面を構成する屋外側縦板と、前記屋外側縦板から屋外側に延びて軒天井の屋内側の端部が載置された載置片とを有していることが好ましい。
【００１１】
また、この外壁構造において、前記見切縁が軒天井の下方に配置されていることが好ましい。
【００１２】
また、この外壁構造において、前記外壁の屋外側の面を構成する外壁材の屋内側には、通気層が設けられ、前記見切縁には、前記通気層と外気とを連通する通気路が設けられていることが好ましい。
【００１３】
また、この外壁構造において、前記照明収容部は磁性を有することが好ましい。
【００１４】
本発明の外壁照明用器具は、前記照明収容部を備えることを特徴とする。
【発明の効果】
【００１５】
本発明の外壁構造および外壁照明用器具によれば、照明収容部に照明装置を設置することで、外壁に建築化照明の一つであるコーニス照明を施すことができ、従来にない住宅外観を提供することができる。また、上記の如くコーニス照明を外壁に施すことができるため、屋外に漏れる光が間接光となって通行人等に直接光を照射するのを抑制できる上に、比較的柔らかい印象を与える拡散光となり、良好な照明演出を行うことができる。
【図面の簡単な説明】
【００１６】
【図１】本発明の実施形態１の外壁構造を適用した建物の全体図である。
【図２】同上の外壁構造の縦断面図である。
【図３】図３Ａは、建物の凹所における水平断面図である。図３Ｂは、図３ＡのＡ部分を下方から見た斜視図である。
【図４】本発明の実施形態２の外壁構造の縦断面図である。
【図５】変形例１の外壁構造の縦断面図である。
【図６】変形例２の外壁構造の縦断面図である。
【図７】変形例３の外壁構造の縦断面図である。
【図８】変形例４の外壁構造の縦断面図である。
【図９】実施形態１，２，変形例１〜４の外壁構造のさらなる変形例の縦断面図である。
【図１０】図１０Ａは、実施形態１，２，変形例１〜４の外壁構造のさらなる変形例を示し、図１０ＢのＡ−Ａ線断面図である。図１０Ｂは、同上の縦断面図である。
【発明を実施するための形態】
【００１７】
以下、本発明の実施形態について添付図面に基づいて説明する。
【００１８】
（実施形態１）
実施形態１の外壁構造は、図１に示すように、外壁１の上端部において、間接照明（コーニス照明）を行うための構造である。外壁１の上端部において間接照明を行うことで、通行人を直接光で照射するのを抑制できる上に、建物の照明演出を行うことができる。
【００１９】
図２には、外壁１の上端部と軒天井３との取り合い部の縦断面図を示す。図２に示すように、外壁１の上端部から屋外側に間隔をあけて軒天井３が配設され、両者間に見切縁４が設けられており、この見切縁４に照明装置６が収容されている。
【００２０】
外壁１は、壁下地の一部を構成する柱（間柱を含む）１１と、柱１１に対し透湿防水シート１７を介して取り付けられた縦胴縁１２と、縦胴縁１２に取り付けられた外壁材１３とを備えており、透湿防水シート１７と外壁材１３との間に通気層１４が形成されている。通気層１４は、下端部が外壁材１３の下方において外気に連通し、上端部が小屋裏７に連通している。
【００２１】
外壁材１３は、留付け金具（図示せず）を介して縦胴縁１２に取り付けられる。外壁材１３は、例えば横張り用のサイディング材であり、屋外側の面として鉛直面からなる外壁面１５を有する。外壁材１３は、例えば、窯業系サイディング材，金属サイディング材などにより構成される。
【００２２】
軒天井３の屋内側の端部は、外壁面１５から離れている。軒天井３は、野縁３１と、野縁３１に固定された軒天材３２とを備えている。野縁３１は、軒天材３２の屋内側の端部の上方に配置されており、垂木３３に固定された吊木３４に支持されている。軒天材３２は、軒天井３の下面を形成する横板材であり、本実施形態では水平面に沿って形成されている。この軒天材３２の屋内側の端部と外壁面１５との間の隙間には、見切縁４が配置される。
【００２３】
見切縁４は、外壁材１３の上端部に取り付けられる。見切縁４は、外壁材１３の上端部に沿って長尺に形成されており、当該外壁材１３の長さ方向の全長にわたっている。見切縁４は、屋内側縦板４１と、屋内側縦板４１の上端部から屋外側に延びた天板４２と、天板４２の屋外側端部から下方に延びた屋外側縦板４３と、屋外側縦板４３の下端部から屋内側に突出した下片４４と、屋外側縦板４３の下端部から屋外側に突出した載置片４５とを備えている。これら屋内側縦板４１，天板４２，屋外側縦板４３，下片４４，および載置片４５は、例えば、金属板を曲げ加工することで、一体に成形されている。
【００２４】
屋内側縦板４１は、天板４２の屋内側端から下方に延びている。屋内側縦板４１は、外壁材１３の屋内側に配置されており、外壁材１３の屋内側の面に接する。屋内側縦板４１は、外壁材１３の表面側から固着具を介して縦胴縁１２に固定される。なお、図中の符号１６は、上記留付け金具の厚みに相当するスペーサを示している。
【００２５】
天板４２は、見切縁４の上端面を構成する部分であり、本実施形態においては水平に延びている。天板４２は、外壁材１３の上方に配置されており、外壁面１５よりも屋外側に突出している。天板４２の下面において屋内側の端部は、外壁材１３の上端面に対向する。
【００２６】
屋外側縦板４３は、天板４２の屋外側端から下方に延びており、屋内側縦板４１に対し隙間を介して並設されている。屋外側縦板４３の屋内側の面は、外壁面１５の上端部と対向している。
【００２７】
下片４４は、屋外側縦板４３の下端から屋内側に向かって延びている。本実施形態の下片４４は、屋外側縦板４３に対して略直交しており、天板４２に対して平行に形成されている。下片４４は、例えば、屋外側縦板４３の下端部を屋内側に折曲し、さらに、折り返すことで、金属板の２倍の厚みに形成されている。
【００２８】
載置片４５は、折り返された下片４４の屋外側端縁を屋外側縦板４３の下端部から屋外側に突出させて形成している。載置片４５は、軒天井３の屋内側の端部が載置されるように構成され、軒天井３の屋内側の端部が載置される。
【００２９】
なお、見切縁４は、鋼鈑の折り曲げ加工品に限定されず、例えば、アルミニウムの押出加工品であってもよい。または、溶接、リベット留め等で作製されてもよく、さらには、分割品を現場で組み立てて施工してもよい。
【００３０】
上記見切縁４は、天板４２、屋外側縦板４３及び下片４４によって外壁１の上端部に沿って該上端部を屋外側から覆っている。さらに、見切縁４の下片４４と外壁１の上端部との間には、隙間４９が形成されている。そして、例えば下片４４に載置された照明装置６が発光すると、光の一部が直接的に隙間４９に向かうと共に、その他が対向面４８および天面４７に反射して隙間４９に向かい、外壁面１５の上端部を略均一に照らすことができる。このように、天板４２の下面により構成される天面４７と、屋外側縦板４３の屋内側の面により構成される対向面４８とによって照明収容部４６が構成されており、本実施形態の見切縁４は外壁照明用の器具を構成する。見切縁４の内面は、拡散光とすべく、艶消し加工が施されていることが好ましい。または、外壁１を照らす領域を広げる場合、見切縁４の内面は、光が反射しやすいように鏡面仕上げが施されていることが好ましい。
【００３１】
照明装置６は、外壁材１３の上端部に沿って見切縁４の長さ方向の略全長にわたって設けられている。照明装置６は、例えば、ＬＥＤ光源を有する発光装置や、蛍光灯を光源とする発光装置により構成される。なお、照明装置６の電源は、商用電源を用いてもよいし、太陽光発電等により発電した電気を蓄電可能な蓄電装置を用いてもよい。
【００３２】
照明装置６の給電用の配線６１の端部には、コネクタ６２が設けられる。これにより、照明装置６の電気的な接続作業が容易となるだけでなく、外壁の施工業者による照明装置６の設置が可能となる。例えば、屋外に１００Ｖのコンセントが設けられている場合、外壁１の施工業者は、当該コンセントに整流器付の照明装置６を接続することで見切縁４に照明装置６を設置することが可能となる。
【００３３】
照明装置６の配線６１に接続されたコネクタ６２は、照明収容部４６の内部に位置している。一方、電源側の配線６１は、天板４２に設けられた透孔５９を介して照明収容部４６内に通されている。そして、照明装置６は、照明収容部４６の内部で、電源とコネクタ接続がなされる。
【００３４】
上述のように外壁構造は、外壁１の上端部と軒天井３との取り合い部に形成されるが、例えば、玄関ポーチ等のような凹所２を形成する外壁１と、天井面との入隅部にも適用することができる。ここで、図３Ａには、凹所２を形成する外壁１として、左右方向に離れた側壁２１と、奥壁２２とを備えた構造の水平断面図を示す。図３Ａに示すような凹所２に本実施形態の見切縁４を設置する場合、見切縁４同士を接続する入隅部材８が用いられることが好ましい。
【００３５】
入隅部材８は、図３Ｂに示すように、側壁２１上の見切縁４と、奥壁２２上の見切縁４とを、内部の空間が通じた状態で接続させる。これにより、両見切縁４，４からの照明光が、側壁２１と奥壁２２との入隅部にまで届きやすくなる。その結果、外壁面１５の上端部を照らす照明にムラが生じにくくなり、照明演出の良好さが向上する。また、入隅部材８として、見切縁４と同様に、照明収容部４６を形成してもよい。この照明収容部４６に照明装置を設置すれば、照明が届きにくい側壁２１と奥壁２２との入隅部にも、効果的に照明をすることができる。
【００３６】
（効果）
以上、説明したように、本実施形態の外壁構造は、照明収容部４６を備えている。照明収容部４６は、外壁１の上端部の屋外側に沿って設けられ、外壁１の上端部を屋外側から照らす照明装置６を収容する。この構成によれば、照明収容部４６に照明装置６を設置して、当該照明装置６を発光させることで、外壁面１５の上端部に間接照明を行うことができ、外壁１にコーニス照明を施すことができる。この結果、建物のエクステリアに照明装置６を設置しても、通行人等に直接光を照射するのを抑制できる上に、良好な照明演出を行うことができる。
【００３７】
また、本実施形態の外壁構造は、次の付加的な構成を備える。すなわち、本実施形態の照明収容部４６は、外壁１の上方から屋外側に延びる天面４７と、天面４７の屋外側端部から下方に延び、外壁１の上端部と対向する対向面４８とを有している。この構成によれば、対向面４８と外壁１の上端部との間に照明装置６を配置することができるため、照明装置６が露出せず、例えば、昼間等の明るいときにも照明装置６を目立たないようにできる。この結果、建物外観の意匠性を向上させることができる。
【００３８】
さらに、本実施形態の外壁構造は、対向面４８の下方を覆う下片４４を有している。このため、本実施形態の外壁１の見切構造によれば、照明装置６を一層目立たないようにできる。
【００３９】
また、本実施形態の外壁構造は、次の付加的な構成を備える。すなわち、本実施形態の照明収容部４６は、外壁１の上端部に設けられた見切縁４に設けられている。この構成によれば、外壁１に見切縁４を取り付ける施工を実施するだけで、照明装置６が取付可能となり、別途、照明の取り付け工事を行うことが不要となる。
【００４０】
また、本実施形態の外壁１の見切構造は、次の付加的な構成を備える。すなわち、見切縁４は、外壁１の上方から屋外側に延びて下面が天面４７を構成する天板４２と、天板４２の屋外側端部から下方に延びて屋内側の面が対向面４８を構成する屋外側縦板４３と、屋外側縦板４３の下端部から屋外側に突出した載置片４５とを有する。載置片４５には軒天井３の屋内側の端部が載置される。この構成によれば、照明収容部４６を軒天井３に埋設したように設置することができ、照明収容部４６を目立たないようにして建物外観の意匠性を向上させることができる。
【００４１】
（実施形態２）
次に、実施形態２について図４に基づいて説明する。なお、本実施形態は実施形態１と大部分において同じであるため、同じ部分においては同符号を付して説明を省略し、主に異なる部分について説明する。
【００４２】
本実施形態の外壁構造は、見切縁４が、軒天井３の下方に配置されている点で、実施形態１の外壁構造と異なっている。本実施形態の見切縁４は、実施形態１の見切縁４と同様に屋内側縦板４１，天板４２，屋外側縦板４３，および下片４４を備えるものの、載置片４５は備えていない。
【００４３】
屋内側縦板４１は、屋外側に水平に延びて外壁材１３の上端面に接する突出部５０を有している。突出部５０は、屋内側縦板４１の上下方向の中間部分に設けられている。見切縁４を外壁材１３の上端部に取り付けるときに、突出部５０を外壁材１３の上端面に当接させることで、見切縁４を位置決めすることができる。
【００４４】
また、屋内側縦板４１には、突出部５０と天板４２との間に通気孔５１が設けられている。通気孔５１は、通気層１４と外気とを連通する。なお、この通気孔５１は、外壁１の通気層１４が小屋裏７に連通している場合には、設けられなくてもよい。
【００４５】
天板４２は、屋内側縦板４１の上端部から屋外側に延びている。天板４２は、軒天井３の下面に対向しており、より詳細には、天板４２の上面と軒天井３の下面とが接している。
【００４６】
屋外側縦板４３は、天板４２の屋外側端部から下方に延びており、屋外側縦板４３の下端部には、下片４４が設けられている。下片４４の屋内側端部には、上方に突出したリブ５３が設けられており、照明装置６が載置された状態において、下片４４がたわむのを抑制できる。
【００４７】
また、本実施形態の見切縁４は、磁性体により構成されている。一方、照明装置６には、磁石が設けられている。磁石は、永久磁石や電磁石のいずれであってもよいが、永久磁石が好ましい。照明装置６は、磁石の作用によって、見切縁４に着脱可能に取り付けられている。これにより、照明装置６の取付位置を、例えば施主の好みに応じて、調整することができる。
【００４８】
なお、本実施形態においては、見切縁４が磁性体により構成されたが、少なくとも照明収容部４６が磁性を有していればよく、例えば、天板４２，屋外側縦板４３に磁性を帯びさせる一方、屋内側縦板４１が磁性を帯びていなくてもよい。また、照明収容部４６のうちの一部のみが磁性を有していてもよい。
【００４９】
以上、説明したように、本実施形態の外壁構造は、照明収容部４６が磁性を有する。この構成によれば、取付部に磁石を有する照明装置６を用いることで、該照明装置６を任意の位置に取り付けることができ、取り付け位置の調整が容易である。
【００５０】
また、本実施形態の外壁構造は、軒天井３の下方に見切縁４が設けられていることにより、軒天井３を設置後に見切縁４を設置することができるので、上記実施形態１と比較して軒天井３及び見切縁４の設置が容易となる。
【００５１】
（変形例）
実施形態２の見切縁４は、例えば、図５〜８に示すような構造であってもよい。以下、変形例１〜４として説明する。変形例１〜４の見切縁４は、通気層１４と外気とを連通する通気路を有する見切縁４（以下、通気見切縁４という）である。
【００５２】
変形例１の通気見切縁４は、図５に示すように、通気孔５１を屋外側から覆う邪魔板５２を有している。邪魔板５２は、屋外側から通気孔５１に向かって風雨が吹き込むのを妨げることができる。邪魔板５２が設けられることで、通気層１４と外気とを通気孔５１を介して連通させながらも、通気層１４内に雨水が浸入するのを抑制することができる。
【００５３】
変形例２の通気見切縁４は、図６に示すように、天板４２に通気孔５１が設けられている。天板４２は、軒天井３の下面が当接する上段部４２１と、上段部４２１の上面よりも下方に位置する下段部４２２とを備えている。下段部４２２は、屋内側端部が屋内側縦板４１に接続され、屋外側端部が上段部４２１に接続される。また、下段部４２２は、軒天井３の下面に対し、隙間を介して対向している。通気孔５１は、下段部４２２に設けられており、通気層１４と連通している。
【００５４】
変形例２の通気見切縁４は、変形例１の通気見切縁４と同様、邪魔板５２を有している。これにより、通気層１４と外気とを通気孔５１を介して連通させながらも、通気層１４内に雨水が浸入するのを抑制することができる。
【００５５】
変形例３の通気見切縁４は、図７に示すように、建物の妻側に配置された妻壁１３ａの上端部と、けらばとの入隅部に取り付けられる。本変形例の通気見切縁４は、複数の邪魔板５２を有している。これら複数の邪魔板５２は、通気孔５１への雨水の浸入を妨げるように構成されている。
【００５６】
変形例３のように、照明収容部４６を有する通気見切縁４を妻壁１３ａの上端部に設置することで、建物の妻壁１３ａの上端部において、コーニス照明を施すことができる。なお、建物の平側に加えて、変形例３の通気見切縁４を妻側に設けてもよいし、妻側のみに変形例３の通気見切縁４を設けてもよい。また、変形例３の通気見切縁４を、平側の外壁１の見切縁４として用いてもよい。
【００５７】
変形例４の通気見切縁４は、図８に示すように、変形例３と比較して、照明収容部４の構造が異なり、その他は同じである。本変形例の照明収容部４６は、天板４２の下面により構成された天面４７と、下向き傾斜面５７と、上向き傾斜面５８とを有している。
【００５８】
通気見切縁４は、下向き傾斜面５７と上向き傾斜面５８を有するＬ字状の折曲片５４を備えている。折曲片５４は、天板４２の屋外側端から屋外側に向かって下り傾斜する上側片部５５と、上側片部５５の下端から屋内側に向かって下り傾斜する下側片部５６とで構成される。上側片部５５の屋内側の面は、下向き傾斜面５７を構成し、下側片部５６の屋内側の面は上向き傾斜面５８を構成する。この折曲片５４の下端には、屋内側に突出する下片４５が設けられる。
【００５９】
下向き傾斜面５７は、外壁材（妻壁１３ａ）の外壁面１５の上端部に臨んでいる。この下向き傾斜面５７には照明装置６が取り付けられており、照明装置６を発光させることで、外壁面１５の上端部において間接照明を行うことができる。
【００６０】
（応用）
実施形態１，２および変形例１〜４の外壁１の見切構造は、照明収容部４の下片４４と外壁面１５との間に隙間４９が設けられていたが、図９に示すように、対向面４８と外壁面１５との間に面部材９を設け、この面部材９に開口部９１を形成してもよい。開口部９１として、例えば星マーク等の形状を象るように形成することにより、当該開口部を透過した光によって外壁面１５に開口部９１の形状の図形が投影される。面部材９は、下片４４と別体であってもよいし、下片４４と一体に形成されてもよい。また、面部材９は、取り外し可能に取り付けられていてもよいし、固定的に取り付けられてもよい。
【００６１】
また、上記実施形態１，２および変形例１〜４においては、見切縁４は、外壁１の左右方向全体に亘って設けられているが、これに限定されず、図１０Ａ，１０Ｂに示すように、外壁１の左右方向の一部分に設けられていてもよい。
【００６２】
図１０Ａには、見切縁４を外壁の上端部の左右方向の一部分に設けた状態を示す。なお、図１０Ａは、図１０ＢにおけるＡ−Ａ線断面図である。説明の便宜上、吊木３４と野縁３１については想像線で示す。
【００６３】
図１０Ａ，１０Ｂに示すように、外壁１の上端部の一部分に見切縁４を設ける場合、軒天材３２として、屋内外方向に短い軒天材３２ａと、通常の長さの軒天材３２とが設けられるが、見切縁４に対応する部分を切り欠いてもよい。複数の軒天材３２ａを設ける場合、軒天材３２の端縁に沿って野縁３１が配置される。各野縁３１は、吊木３４を介して垂木３３に固定されている。
【００６４】
実施形態１，２，および変形例１〜４の外壁１の見切構造は、屋根と外壁１との取り合い部の構造であったが、これに限らず、例えば、庇と外壁１の上部との取り合い部の構造に適用してもよい。また、軒天井や庇は設けられなくてもよく、例えば、１階部分の外壁１と２階部分の外壁１との間の見切りに、実施形態１，２，および変形例１〜４のうちのいずれかの見切縁４を適用してもよい。
【００６５】
実施形態１，２，および変形例１〜４の外壁１の見切縁４には下片４４が設けられたが、下片４４はなくてもよい。また、照明収容部４６は、天面４７と対向面４８とを有していたが、例えば、照明収容部４６の天面４７が、外壁材１３の上方から屋外側に向かうほど下方に位置するように傾斜していてもよく、対向面４８はなくてもよい。さらに、この構造において、照明収容部４６の天面４７の傾斜は、断面直線状に傾斜してもよいし、上方に凹むようにアーチ状をなしていてもよい。
【００６６】
実施形態２の見切縁４は、磁性体により構成されたが、実施形態１の見切縁４を磁性体により構成してもよいし、変形例１〜４の見切縁４を磁性体により構成してもよい。また、照明収容部の一部のみに磁性を有していてもよい。
【００６７】
変形例１〜４の見切縁４は、実施形態２のように、軒天井の下方に設置されたが、実施形態１のように、軒天井３の屋内側の端部が載置される載置片４４を設け、軒天井３に埋設するように設置されてもよい。また、載置片４４によって、軒天材３２の屋内側の端部を支持してもよい。
【００６８】
その他、上記実施形態および変形例の構成は、本発明の主旨を逸脱しない範囲であれば、適宜設計変更を行うことができる。
【符号の説明】
【００６９】
１      外壁
１３    外壁材
１４    通気層
３      軒天井
４      見切縁
４４    載置片
４６    照明収容部
４７    天面
４８    対向面
５１    通気孔
６      照明装置
９      面部材
９１    開口部
【図１】
0006738203.tif 000002
【図２】
0006738203.tif 000003
【図３】
0006738203.tif 000004
【図４】
0006738203.tif 000005
【図５】
0006738203.tif 000006
【図６】
0006738203.tif 000007
【図７】
0006738203.tif 000008
【図８】
0006738203.tif 000009
【図９】
0006738203.tif 000010
【図１０】
0006738203.tif 000011